(57)【要約】【課題】ΔΣ変調器の出力を伝送するための信号伝送路に、ＲＦ信号を伝送させることができる技術を提供する。【解決手段】ＲＦ信号である送信信号に対してΔΣ変調されたΔΣ変調信号を、信号ケーブル４を介して、送信する信号処理装置２と、ＲＦ信号である受信信号を、信号ケーブル４を介して、送信する無線装置３と、を備え、信号処理装置２は、ΔΣ変調信号を、無線装置３へ送信し、無線装置３は、受信信号を、信号処理装置２へ送信し、前記ΔΣ変調信号は、受信信号の周波数において量子化雑音が抑圧され、受信信号は、前記ΔΣ変調信号が無線装置３へ送信されている間に、信号処理装置２へ送信される。【選択図】図３
2017199960.tif 000002
【特許請求の範囲】
【請求項１】
ＲＦ信号である第１信号に対してΔΣ変調されたΔΣ変調信号を、信号伝送路を介して、送信する第１装置と、
ＲＦ信号である第２信号を、前記信号伝送路を介して、送信する第２装置と、を備え、
前記第１装置は、前記ΔΣ変調信号を、前記第２装置へ送信し、
前記第２装置は、前記第２信号を、第１装置へ送信し、
前記ΔΣ変調信号は、前記第２信号の周波数において量子化雑音が抑圧され、
前記第２信号は、前記ΔΣ変調信号が前記第２装置へ送信されている間に、前記第１装置へ送信される
送信システム。
【請求項２】
前記第１装置は、前記第１信号にΔΣ変調を行うΔΣ変調器を備え、
前記ΔΣ変調器は、前記第１信号の周波数と、前記第２信号の周波数とを含む周波数帯域の量子化雑音を阻止する特性を有している請求項１に記載の送信システム。
【請求項３】
前記第１装置は、前記第１信号にΔΣ変調を行うΔΣ変調器を備え、
前記ΔΣ変調器は、前記第１信号の周波数を含む第１周波数帯域の量子化雑音を阻止するとともに、前記第２信号の周波数を含む第２周波数帯域の量子化雑音を阻止する特性を有する請求項１に記載の送信システム。
【請求項４】
前記第１装置は、前記第１信号にΔΣ変調を行うΔΣ変調器と、前記ΔΣ変調器の出力が与えられるとともに前記第２信号の周波数を含む信号除去帯域を有する帯域除去フィルタとを備え、前記帯域除去フィルタの出力を前記ΔΣ変調信号として前記第２装置へ送信する請求項１から請求項３のいずれか一項に記載の送信システム。
【請求項５】
前記第２信号は、無線信号を受信する受信装置が受信した受信信号である請求項１から請求項４のいずれか一項に記載の送信システム。
【請求項６】
前記第２信号は、無線信号を送信する送信装置が無線送信する送信信号の帰還信号である請求項１から請求項４のいずれか一項に記載の送信システム。
【請求項７】
前記第１装置は、
前記第２信号を処理する処理部と、
当該処理部と前記信号伝送路との間に接続され、信号通過帯域が前記第２信号の周波数を含む帯域通過フィルタと、
を備えている請求項１から請求項６のいずれか一項に記載の送信システム。
【請求項８】
前記第２装置は、
前記信号伝送路を通じて与えられる前記ΔΣ変調信号を２値化する２値化器を備えている請求項１から請求項７のいずれか一項に記載の送信システム。
【請求項９】
請求項１に記載の送信システムを備えた、前記第１信号を無線送信する無線通信システムであって、
前記第２装置は、前記ΔΣ変調信号を受信する複数の受信部を含み、
前記複数の受信部は、前記ΔΣ変調信号から得られるＲＦ信号を無線送信する複数の無線送信部と、
前記複数の無線送信部における前記ΔΣ変調信号のタイミングを調整することで、前記複数の無線送信部それぞれが無線送信する前記第１信号の送信タイミングを調整する制御部と、を備えている
無線通信システム。
【請求項１０】
前記複数の受信部と前記第１装置との間を接続する複数の前記信号伝送路は、複数の前記信号伝送路が芯線とされた多芯線を構成している請求項９に記載の無線通信システム。
【発明の詳細な説明】
【技術分野】
【０００１】
本発明は、送信システム、及び無線通信システムに関する。
【背景技術】
【０００２】
従来から、アナログ送信信号にΔΣ変調を行った信号を無線送信することが行われている（例えば、特許文献１参照）。
【０００３】
図９は、ΔΣ変調器を備えた通信システムの一例を示す図である。図９に示すように、この通信システム１００は、ＲＦ信号である送信信号を出力する信号処理部１０１と、送信信号が与えられるΔΣ変調器（ＤＳＭ）１０２と、バンドパスフィルタ１０３とを備えている。
ΔΣ変調器１０２は、送信信号にΔΣ変調を行い、ΔΣ変調信号を出力する。ΔΣ変調信号は、信号伝送路１０４を通じてバンドパスフィルタ１０３に与えられる。
バンドパスフィルタ１０３は、前記送信信号を通過させる通過帯域を有している。よって、バンドパスフィルタ１０３は、前記送信信号を通過させつつ当該ΔΣ変調信号に含まれている量子化雑音を除去する。これによって、バンドパスフィルタ１０３は送信信号を出力する。
バンドパスフィルタ１０３から出力された送信信号は、後段のパワーアンプ１０５によって増幅され、アンテナ１０６から無線波として送信される。
【０００４】
図９の通信システム１００では、ΔΣ変調器１０２とバンドパスフィルタ１０３との間においては、送信信号をデジタル信号（パルス信号）であるΔΣ変調信号として伝送することができる。このため、ΔΣ変調器１０２とバンドパスフィルタ１０３とを繋ぐ信号伝送路１０４を比較的長尺にしたとしても信号の減衰を抑制することができる。
【０００５】
そこで、信号処理部１０１、およびΔΣ変調器１０２を送信処理装置１１０としてユニット化し、バンドパスフィルタ１０３、パワーアンプ１０５、及びアンテナ１０６とを無線装置１１１としてユニット化し、これらを互いに信号伝送路１０４で繋げば、送信処理装置１１０と、無線装置１１１とを互いに別々の位置に配置可能とすることができ、通信システム１００の設置態様の自由度を確保することができる。
つまり、信号処理装置１１０と、無線装置１１１とは、信号伝送路１０４を介してΔΣ変調器が出力するΔΣ変調信号の送信を行う送信システムを構成している。
【先行技術文献】
【特許文献】
【０００６】
【特許文献１】特許第５５９８５６１号公報
【発明の概要】
【発明が解決しようとする課題】
【０００７】
図９に示すΔΣ変調信号の送信を行う上記システムにおいて、送信信号が無線送信される場合について示したが、例えば、アンテナ１０６が送受信共用である場合や、送信信号を信号処理部にフィードバックする場合、受信信号や送信信号の帰還信号等といったＲＦ信号を無線装置１１１から信号処理装置１１０まで伝送する必要がある。
【０００８】
この場合、ＲＦ信号を無線装置１１１から信号処理装置１１０まで伝送するための経路を新たに設けるとすると、信号を伝送するための伝送路や、信号の送受信に必要な機能等を追加する必要が生じ、通信システム１００全体を大型化させる要因となるため好ましくない。
【０００９】
そこで、信号処理装置１１０と、無線装置１１１とを繋ぐ信号伝送路１０４を利用してＲＦ信号を伝送することが考えられる。
しかし、ΔΣ変調器１０２が出力するΔΣ変調信号は、主信号成分として送信信号を含んでいる帯域についてはノイズシェイピングされて雑音が抑制されているが、他の領域については広帯域に亘って量子化雑音を含んでいる。
このため、ΔΣ変調器１０２が出力するΔΣ変調信号が与えられる信号伝送路１０４を用いてＲＦ信号を伝送させようとすると、ＲＦ信号がΔΣ変調信号の量子化雑音と重畳してしまい、当該ＲＦ信号を適切な信号品質で伝送させることが困難であった。
【００１０】
本発明はこのような事情に鑑みてなされたものであり、ΔΣ変調信号を伝送するための信号伝送路に、ＲＦ信号を伝送させることができる技術を提供することを目的とする。
【課題を解決するための手段】
【００１１】
一実施形態である送信システムは、ＲＦ信号である第１信号に対してΔΣ変調されたΔΣ変調信号を、信号伝送路を介して、送信する第１装置と、ＲＦ信号である第２信号を、前記信号伝送路を介して、送信する第２装置と、を備え、前記第１装置は、前記ΔΣ変調信号を、前記第２装置へ送信し、前記第２装置は、前記第２信号を、第１装置へ送信し、前記ΔΣ変調信号は、前記第２信号の周波数において量子化雑音が抑圧され、前記第２信号は、前記ΔΣ変調信号が前記第２装置へ送信されている間に、前記第１装置へ送信される。
【００１２】
また、一実施形態である無線通信システムは、上記送信システムを備えた、前記第１信号を無線送信する無線通信システムであって、前記第２装置は、前記ΔΣ変調信号を受信する複数の受信部を含み、前記複数の受信部は、前記ΔΣ変調信号から得られる前記第１信号を無線送信する複数の無線送信部と、前記複数の無線送信部における前記ΔΣ変調信号のタイミングを調整することで、前記複数の無線送信部それぞれが無線送信する前記第１信号の送信タイミングを調整する制御部と、を備えている。
【発明の効果】
【００１３】
本発明によれば、ΔΣ変調信号を伝送するための信号伝送路に、ＲＦ信号を伝送させることができる。
【図面の簡単な説明】
【００１４】
【図１】第１実施形態による通信システムの構成を示すブロック図である。
【図２】本実施形態のΔΣ変調器の一例を示すブロック図である。
【図３】本実施形態のΔΣ変調器による出力のパワースペクトラムの一例を示す図である。
【図４】第１バンドエリミネーションフィルタの出力における帯域Ｂ２の部分を拡大した拡大図である。
【図５】（ａ）は変形例に係るΔΣ変調器による出力のパワースペクトラムの一部を示す図、（ｂ）は他の変形例に係るΔΣ変調器による出力のパワースペクトラムの一部を示す図である。
【図６】第２実施形態による通信システムの構成を示すブロック図である。
【図７】第３実施形態による通信システムの構成を示す図である。
【図８】無線装置の構成の一部を示す図である。
【図９】ΔΣ変調器を備えた通信システムの一例を示す図である。
【発明を実施するための形態】
【００１５】
［実施形態の説明］
最初に実施形態の内容を列記して説明する。
（１）一実施形態である送信システムは、ＲＦ信号である第１信号に対してΔΣ変調されたΔΣ変調信号を、信号伝送路を介して、送信する第１装置と、ＲＦ信号である第２信号を、前記信号伝送路を介して、送信する第２装置と、を備え、前記第１装置は、前記ΔΣ変調信号を、前記第２装置へ送信し、前記第２装置は、前記第２信号を、第１装置へ送信し、前記ΔΣ変調信号は、前記第２信号の周波数において量子化雑音が抑圧され、前記第２信号は、前記ΔΣ変調信号が前記第２装置へ送信されている間に、前記第１装置へ送信される。
【００１６】
上記構成の送信システムによれば、第２装置によって信号伝送路に与えられる第２信号がΔΣ変調信号の量子化雑音と重畳するのを抑制することができる。このため、ΔΣ変調信号を伝送するための信号伝送路に、ＲＦ信号である第２信号を伝送させることができる。
【００１７】
（２）また、上記送信システムにおいて、前記第１装置は、前記第１信号にΔΣ変調を行うΔΣ変調器を備え、前記ΔΣ変調器は、前記第１信号の周波数と、前記第２信号の周波数とを含む周波数帯域の量子化雑音を阻止する特性を有していてもよい。
この場合、ΔΣ変調器が、第１信号の周波数と、第２信号の周波数とを含む周波数帯域の量子化雑音を阻止するので、第２信号がΔΣ変調信号の量子化雑音と重畳するのを抑制することができる。
【００１８】
（３）上記送信システムにおいて、前記第１装置は、前記第１信号にΔΣ変調を行うΔΣ変調器を備え、前記ΔΣ変調器は、前記第１信号の周波数を含む第１周波数帯域の量子化雑音を阻止するとともに、前記第２信号の周波数を含む第２周波数帯域の量子化雑音を阻止する特性を有していてもよい。
この場合、第２信号の周波数が第１信号の周波数と異なる場合であっても、第２信号が量子化雑音に重畳するのを抑制することができる。
【００１９】
（４）上記送信システムにおいて、前記第１装置は、前記第１信号にΔΣ変調を行うΔΣ変調器と、前記ΔΣ変調器の出力が与えられるとともに前記第２信号の周波数を含む信号除去帯域を有する帯域除去フィルタとを備え、前記帯域除去フィルタの出力を前記ΔΣ変調信号として前記第２装置へ送信することが好ましい。
【００２０】
（５）上記送信システムにおいて、前記第２信号は、無線信号を受信する受信装置が受信した受信信号であってもよい。
（６）また、上記通信システムにおいて、前記第２信号は、無線信号を送信する送信装置が無線送信する送信信号の帰還信号であってもよい。
【００２１】
（７）上記送信システムにおいて、前記第１装置は、前記第２信号を処理する処理部と、当該処理部と前記信号伝送路との間に接続され、信号通過帯域が前記第２信号の周波数を含む帯域通過フィルタと、を備えていることが好ましい。
この場合、第１装置は、簡易な構成で容易に第２信号を取得することができる。
【００２２】
（８）上記送信システムにおいて、前記信号伝送路を通じて与えられる前記ΔΣ変調信号を２値化する２値化器を備えていることが好ましい。
この場合、信号伝送路を通じて第２装置に与えられるΔΣ変調信号が伝送される間に減衰したとしても、２値のパルス信号であるΔΣ変調信号を２値化器によって２値化することで、減衰の影響が緩和されたΔΣ変調信号を得ることができる。
【００２３】
（９）また、一実施形態である無線通信システムは、上記（１）に記載の送信システムを備えた、前記第１信号を無線送信する無線通信システムであって、前記第２装置は、前記ΔΣ変調信号を受信する複数の受信部を含み、前記複数の受信部は、前記ΔΣ変調信号から得られるＲＦ信号を無線送信する複数の無線送信部と、前記複数の無線送信部における前記ΔΣ変調信号のタイミングを調整することで、前記複数の無線送信部それぞれが無線送信する前記第１信号の送信タイミングを調整する制御部と、を備えている。
この場合、信号伝送路の物理的な線路長を厳密に調整したり、信号伝送路の伝送特性を厳密に一致させたりせずとも、簡易な構成で、複数の無線送信部における送信タイミングを同期させる等、複数の無線送信部によって無線送信されるＲＦ信号の相対的な送信タイミングを精度よく調整することができる。
【００２４】
（１０）またこの場合、前記複数の受信部と前記第１装置との間を接続する複数の前記信号伝送路は、複数の前記信号伝送路が芯線とされた多芯線を構成していてもよく、この場合、第１装置と第２装置との接続が容易となる。さらにこの場合、複数の信号伝送路間で相互干渉が生じ信号タイミングに遅延等が生じたとしても、制御部によって送信タイミングを調整することができる。
【００２５】
［実施形態の詳細］
以下、好ましい実施形態について図面を参照しつつ説明する。
なお、以下に記載する各実施形態の少なくとも一部を任意に組み合わせてもよい。
〔第１実施形態について〕
図１は、第１実施形態による通信システムの構成を示すブロック図である。
この通信システム１は、無線通信を行うためのシステムであり、信号処理装置２と、無線装置３とを備えている。
【００２６】
無線装置３は、無線信号の送受信を行う機能を有している。
信号処理装置２は、送信信号を無線装置３に与えるとともに、無線装置３から与えられる受信信号について信号処理を行う。
無線装置３と、信号処理装置２とは、信号伝送路としての信号ケーブル４によって互いに接続されており、信号ケーブル４を介して送信信号や受信信号といった通信信号の授受を行う。
【００２７】
ここで、信号処理装置２は、ΔΣ変調信号を、信号ケーブル４を介して無線装置３へ送信する装置（第１装置）を構成している。ΔΣ変調信号は、後述するように、ＲＦ信号である送信信号（第１信号）に対してΔΣ変調されたデジタル信号（パルス信号）である。
また、無線装置３は、後述するように、ＲＦ信号である受信信号（第２信号）を、信号ケーブル４を介して信号処理装置２へ送信する装置（第２装置）を構成している。また、信号ケーブル４は、信号処理装置２と無線装置３との間でΔΣ変調信号が伝送される信号伝送路としての機能を有している。つまり、信号処理装置２と、無線装置３と、信号ケーブル４とは、ΔΣ変調されたΔΣ変調信号の送信を行う送信システムを構成している。
【００２８】
なお、送信信号及び受信信号とは、無線通信によって授受される無線周波数の通信信号（ＲＦ信号）を指し、これら信号をモニタした帰還信号等も含む。
【００２９】
信号処理装置２は、直交変調部１０と、変調装置９と、分配合成器１３とを備えている。
直交変調部１０は、デジタルのベースバンド信号（Ｉ（Ｉｎ−ｐｈａｓｅ）信号及びＱ（Ｑｕａｄｒａｔｕｒｅ−ｐｈａｓｅ）信号）に対して、直交変調を行うとともに、無線周波数にアップコンバートする。直交変調部１０は、無線周波数の信号であるＲＦ信号（Ｒａｄｉｏ  Ｆｅｑｕｅｎｃｙ信号）を出力する。この直交変調部１０が出力するＲＦ信号は、無線装置３によって無線送信される送信信号である。
直交変調部１０が出力するＲＦ信号（送信信号）は、変調装置９に与えられる。
【００３０】
変調装置９は、直交変調部１０が出力する送信信号に対してΔΣ変調を行い、ΔΣ変調信号を出力する。変調装置９は、ΔΣ変調器（ＤＳＭ）１１と、バンドエリミネーションフィルタ１２とを備えている。
【００３１】
ΔΣ変調器１１は、直交変調部１０が出力する送信信号に対してΔΣ変調を行い、周波数成分として送信信号を含むΔΣ変調信号を出力する。ΔΣ変調器１１が出力するΔΣ変調信号はデジタル信号（パルス信号）である。
ここで本実施形態におけるΔΣ変調器１１は、２つの入力ポートから信号を入力することができるマルチキャリア型のΔΣ変調器によって構成されている。
【００３２】
図２は、本実施形態のΔΣ変調器１１の一例を示すブロック図である。
ΔΣ変調器１１は、第１信号Ｕ１が入力される第１入力ポート１６、第２信号Ｕ２が入力される第２入力ポート１７、及びΔΣ変調信号を出力する単一の出力ポート１８を備えている。ΔΣ変調器１１は、複数の入力ポート１６，１７それぞれに対応する複数のループフィルタ（第１ループフィルタ１９、第２ループフィルタ２０）と、加算器２１と、量子化器２２と、を備えている。
複数のループフィルタ１９，２０は、それぞれ、対応する入力ポート１６，１７に接続された第１入力部１９ａ，２０ａと、フィードバック経路２３，２４を介して量子化器２２の出力側に接続された第２入力部１９ｂ，２０ｂと、を備えている。
【００３３】
第１入力部１９ａ，２０ａには、対応する入力ポート１６，１７に入力された入力信号Ｕ１，Ｕ２が入力される。第２入力部１９ｂ，２０ｂには、量子化器２２の出力Ｖのフィードバック信号Ｖが入力される。
【００３４】
複数のループフィルタ１９，２０は、それぞれ、差分器１９ｃ，２０ｃを備えている。差分器１９ｃ，２０ｃには、それぞれ、第１入力部１９ａ，２０ａに接続された第１経路１９ｄ，２０ｄと、第２入力部１９ｂ，２０ｂに接続された第２経路１９ｅ，２０ｅと、が接続されている。差分器１９ｃ，２０ｃは、それぞれ、入力信号Ｕ１，Ｕ２と、量子化器２２からのフィードバック信号Ｖとの差分Ｕ１−Ｖ，Ｕ２−Ｖを求める。
【００３５】
差分器１９ｃ，２０ｃによって求められた差分Ｕ１−Ｖ，Ｕ２−Ｖは、各ループフィルタ１９，２０に設けられた内部フィルタ１９ｆ，２０ｆに入力される。なお、第１ループフィルタ１９の内部フィルタ１９ｆの伝達関数をＬ１（ｚ）と表現し、第２ループフィルタ２０の内部フィルタ２０ｆの伝達関数をＬ２（ｚ）と表現する。
【００３６】
各内部フィルタ１９ｆ，２０ｆの出力Ｌ１（ｚ）（Ｕ１（ｚ）−Ｖ（ｚ）），Ｌ２（ｚ）（Ｕ２（ｚ）−Ｖ（ｚ））は、各ループフィルタ１９，２０に設けられた加算器１９ｇ，２０ｇに与えられる。
各加算器１９ｇ，２０ｇには、第１入力部１９ａ，２０ａに入力される入力信号Ｕ１，Ｕ２を加算器１９ｇ，２０ｇに入力させるためのフィードフォワード経路１９ｈ，２０ｈが接続されている。したがって、各加算器１９ｇ，２０ｇは、入力信号Ｕ１，Ｕ２と、内部フィルタ１９ｆ，２０ｆの出力Ｌ１（ｚ）（Ｕ１（ｚ）−Ｖ（ｚ）），Ｌ２（ｚ）（Ｕ２（ｚ）−Ｖ（ｚ））と、を加算する。
【００３７】
各加算器１９ｇ，２０ｇの出力（各ループフィルタ１９，２０の出力）Ｙ１，Ｙ２は、加算器２１によって加算される。
【００３８】
加算器２１の出力Ｙは、量子化器２２に与えられる。本実施形態の量子化器２２は、２レベル量子化器であり、１ｂｉｔのパルス列を量子化信号（ΔΣ変調信号）Ｖとして出力する。この量子化信号ＶがΔΣ変調器１１の出力信号となる。なお、出力信号Ｖは、フィードバック経路２３，２４を介して各ループフィルタ１９，２０に与えられる。
【００３９】
ΔΣ変調器１１の出力Ｖは、下記の式（１）のように表される（式（１）においてＮ＝２の場合）。式（１）において、ＳＴＦｉ（ｚ）は第ｉ入力信号Ｕｉ（ｚ）についての第ｉ信号伝達関数であり、ＮＴＦ（ｚ）は、ΔΣ変調器１１全体での雑音伝達関数であり、Ｅ（ｚ）は雑音伝達関数である。
【数１】
2017199960.tif 000003
ここで、
【数２】
2017199960.tif 000004
【００４０】
第１ループフィルタ１９の内部フィルタ１９ｆは、第１雑音伝達関数ＮＴＦ１（ｚ）を用いて示される伝達関数Ｌ１（ｚ）を持つ。第１雑音伝達関数ＮＴＦ１（ｚ）は、第１ループフィルタ１９に入力される第１信号Ｕ１の周波数近傍の帯域における量子化雑音を抑制する特性（バンドストップ特性）を有するように設定される。つまり、第１雑音伝達関数ＮＴＦ１（ｚ）における量子化雑音を抑制しうる帯域（量子化雑音阻止帯域）の中心周波数は、第１信号Ｕ１の周波数となる。
【００４１】
第２ループフィルタ２０の内部フィルタ２０ｆは、第２雑音伝達関数ＮＴＦ２（ｚ）を用いて示される伝達関数Ｌ２（ｚ）を持つ。第２雑音伝達関数ＮＴＦ２（ｚ）は、第２ループフィルタ２０に入力される第２信号Ｕ２の周波数近傍の帯域における量子化雑音を抑制する特性（バンドストップ特性）を有するように設定される。つまり、第２雑音伝達関数ＮＴＦ２（ｚ）における量子化雑音阻止帯域の中心周波数は、第２信号Ｕ２の周波数となる。
【００４２】
上記構成のΔΣ変調器１１は、第１入力ポート１６に入力された第１信号Ｕ１と、第２入力ポート１７に入力された第２信号Ｕ２とを、同時に単一の出力信号Ｖ（ｚ）であるΔΣ変調信号に含めて出力することができる。
【００４３】
本実施形態では、後述するように、第１信号Ｕ１として直交変調部１０から出力される送信信号がΔΣ変調器１１に与えられる。このため、第１ループフィルタ１９の第１雑音伝達関数ＮＴＦ１（ｚ）は、量子化雑音阻止帯域の中心周波数が送信信号の周波数ｆ１となるように設定される。
【００４４】
一方、第２信号Ｕ２としての信号はΔΣ変調器１１に入力されない。ただし、第２ループフィルタ２０の第２雑音伝達関数ＮＴＦ２（ｚ）は、量子化雑音阻止帯域の中心周波数が送信信号の周波数ｆ１とは異なる周波数であって後述する受信信号の周波数ｆ２となるように設定される。
【００４５】
図３は、本実施形態のΔΣ変調器１１による出力のパワースペクトラムの一例を示す図である。
図３に示すように、ΔΣ変調器１１による出力（ΔΣ変調信号）は、送信信号の周波数ｆ１を中心周波数とする帯域Ｂ１、及び受信信号の周波数ｆ２を中心周波数とする帯域Ｂ２において、量子化雑音が抑圧（ノイズシェイピング）されている。
【００４６】
上述のように、第１雑音伝達関数ＮＴＦ１（ｚ）における量子化雑音阻止帯域の中心周波数は、送信信号の周波数ｆ１となるように設定されている。また、第２雑音伝達関数ＮＴＦ２（ｚ）における量子化雑音阻止帯域の中心周波数は、受信信号の周波数ｆ２となるように設定されている。
【００４７】
よって、図３に示すように、ΔΣ変調器１１による出力には、送信信号の周波数ｆ１を中心周波数とする帯域Ｂ１、及び受信信号の周波数ｆ２を中心周波数とする帯域Ｂ２の２箇所に量子化雑音が抑圧されている帯域が表れる。
【００４８】
このように、ΔΣ変調器１１は、送信信号の周波数ｆ１を含む帯域Ｂ１（第１周波数帯域）の量子化雑音を阻止するとともに、受信信号の周波数ｆ２を含む帯域Ｂ２（第２周波数帯域）の量子化雑音を阻止する特性を有している。
【００４９】
なお、ΔΣ変調器１１による出力は、帯域Ｂ１においては送信信号を有している。一方、帯域Ｂ２においては第２信号Ｕ２としての信号がΔΣ変調器１１に入力されないので、ΔΣ変調器１１による出力は、帯域Ｂ２においては信号を有していない。
【００５０】
図１に戻って、ΔΣ変調器１１の第１入力ポート１６には直交変調部１０が出力する送信信号が与えられる。一方、ΔΣ変調器１１の第２入力ポート１７には何も入力されない。
ΔΣ変調器１１は、出力ポート１８からΔΣ変調信号を出力する。
ΔΣ変調器１１から出力されたΔΣ変調信号は、バンドエリミネーションフィルタ１２に与えられる。
【００５１】
バンドエリミネーションフィルタ１２は、受信信号の周波数ｆ２を含む信号除去帯域を有している。本実施形態のバンドエリミネーションフィルタ１２の信号除去帯域は、例えば、受信信号の周波数ｆ２を含む周波数帯域として帯域Ｂ２を含む周波数帯域に設定されている。
よって、バンドエリミネーションフィルタ１２は、ΔΣ変調器１１からΔΣ変調信号が与えられると、前記ΔΣ変調信号の内、帯域Ｂ２における量子化雑音を除去する。
【００５２】
図４は、第１バンドエリミネーションフィルタ１２の出力における帯域Ｂ２の部分を拡大した拡大図である。
図４中、破線Ｈは、ΔΣ変調器１１から出力されたΔΣ変調信号における帯域Ｂ２の雑音のプロファイルを示している。また、実線Ｊは、バンドエリミネーションフィルタ１２を通過した後のΔΣ変調信号における帯域Ｂ２の雑音のプロファイルを示している。
【００５３】
帯域Ｂ２の量子化雑音は、他の帯域の量子化雑音と比較して抑圧されているが、まださらに抑圧可能な程度に存在している。
このため、ΔΣ変調器１１から出力されたΔΣ変調信号は、バンドエリミネーションフィルタ１２を通過すると、図４に示すように、帯域Ｂ２における量子化雑音のレベルが破線Ｈから実線Ｊまで低下する。
このように、バンドエリミネーションフィルタ１２は、ΔΣ変調信号において量子化雑音が抑圧されている帯域Ｂ２の量子化雑音のレベルをさらに低下させることができる。
【００５４】
図１に戻って、変調装置９は、上述のように、送信信号にΔΣ変調を行うΔΣ変調器１１と、ΔΣ変調器１１の出力が与えられるとともに受信信号の周波数を含む信号除去帯域を有するバンドエリミネーションフィルタ１２とを備えている。変調装置９は、バンドエリミネーションフィルタ１２を通過した後のΔΣ変調信号を出力する。
【００５５】
バンドエリミネーションフィルタ１２を通過したΔΣ変調信号は、分配合成器１３に与えられる。
分配合成器１３には、変調装置９のバンドエリミネーションフィルタ１２、信号ケーブル４、及び第１バンドパスフィルタ３０が接続されている。分配合成器１３は、これらを相互に接続している。
分配合成器１３に接続されている第１バンドパスフィルタ３０、及びこれに接続されているアナログ／デジタルコンバータ（ＡＤＣ）３１、処理部３２については、後に詳述する。
【００５６】
分配合成器１３に与えられたΔΣ変調信号は、コネクタ３３を通じて信号ケーブル４に与えられる。
このように、信号処理装置２は、バンドエリミネーションフィルタ１２が出力したΔΣ変調信号を信号ケーブル４に与える。
【００５７】
コネクタ３３は、信号処理装置２の筐体３４の外部に露出して設けられている。コネクタ３３は、信号ケーブル４の一端が差し込まれることで、当該信号ケーブル４と分配合成器１３とを接続する。
なお、信号処理装置２の筐体３４は、直交変調部１０や、変調装置９、分配合成器１３等を内部に収容している。
【００５８】
信号ケーブル４の他端は、無線装置３に接続されている。
無線装置３は、分配合成器４０と、２値化器４１と、第２バンドパスフィルタ４２と、第３バンドパスフィルタ４３とを備えている。
【００５９】
分配合成器４０には、信号ケーブル４、２値化器４１、及び第３バンドパスフィルタ４３が接続されている。分配合成器４０は、これらを相互に接続している。
【００６０】
信号ケーブル４に与えられたΔΣ変調信号は、コネクタ４４を通じて分配合成器４０に与えられる。
コネクタ４４は、無線装置３の筐体４５の外部に露出して設けられている。コネクタ４４は、信号ケーブル４の他端が差し込まれることで、当該信号ケーブル４と分配合成器４０とを接続する。
このように、信号ケーブル４は、信号処理装置２と無線装置３とを接続し、変調装置９から出力されたΔΣ変調信号を無線装置３に伝送する。
【００６１】
なお、無線装置３の筐体４５は、分配合成器４０や、２値化器４１、第２バンドパスフィルタ４２の他、後述する無線装置３が有する各機能部を内部に収容している。
【００６２】
分配合成器４０に与えられたΔΣ変調信号は、２値化器４１に与えられる。
２値化器４１は、コンパレータ等によって構成されており、信号処理装置２から信号ケーブル４を伝送して与えられるΔΣ変調信号を２値化し、２値化したΔΣ変調信号を出力する。
信号ケーブル４を伝送して無線装置３に与えられるΔΣ変調信号は、変調装置９から出力されたときと比較して伝送される間に減衰する。２値化器４１は、このように減衰したΔΣ変調信号を２値化する。減衰したΔΣ変調信号であっても、２値のパルス信号であるΔΣ変調信号を２値化することで、減衰する前のΔΣ変調信号が復元される。これにより、２値化器４１は減衰する前のΔΣ変調信号に近似したΔΣ変調信号を出力することができ、減衰の影響が緩和されたΔΣ変調信号を得ることができる。
【００６３】
２値化器４１から出力されるΔΣ変調信号は、第２バンドパスフィルタ４２に与えられる。
第２バンドパスフィルタ４２は、ＲＦ信号である送信信号を通過させる通過帯域を有している。これにより、第２バンドパスフィルタ４２は、ΔΣ変調信号における送信信号の帯域外に存在する量子化雑音を除去しつつ送信信号を通過させることができる。
よって、ΔΣ変調信号が与えられた第２バンドパスフィルタ４２は、送信信号を出力する。
【００６４】
２値化器４１と第２バンドパスフィルタ４２との間には、出力端子５０が接続されている。この出力端子５０は筐体４５の外部から露出して設けられている。出力端子５０には、２値化器４１が出力するΔΣ変調信号が与えられる。出力端子５０は、２値化器４１が出力するΔΣ変調信号を出力する。
よって、出力端子５０に信号を計測するための機器を接続し、その出力信号を計測することで、２値化器４１が出力するΔΣ変調信号を確認することができる。これにより、信号処理装置２からのΔΣ変調信号が無線装置３に正常に伝送されているか否かを確認することができる。
【００６５】
第２バンドパスフィルタ４２の後段には、パワーアンプ４６、サーキュレータ４７、及びアンテナ４８が接続されている。
第２バンドパスフィルタ４２が出力する送信信号は、パワーアンプ４６によって増幅され、サーキュレータ４７を通過してアンテナ４８に与えられる。アンテナ４８に与えられた送信信号は、無線信号として空間に放射され送信される。
【００６６】
また、アンテナ４８は、他の無線装置が送信した無線信号を受信する。アンテナ４８は、無線信号を受信することで得たアナログ信号である受信信号（ＲＦ信号）をサーキュレータ４７に与える。なお、受信信号の周波数はｆ２である。
【００６７】
サーキュレータ４７の後段には、ローノイズアンプ４９が接続されている。ローノイズアンプ４９は、さらに、第３バンドパスフィルタ４３に接続されている。
【００６８】
サーキュレータ４７は、受信信号をローノイズアンプ４９に与える。受信信号は、ローノイズアンプ４９によって増幅された後、第３バンドパスフィルタ４３に与えられる。
【００６９】
第３バンドパスフィルタ４３は、信号通過帯域がＲＦ信号である受信信号の周波数ｆ２を含むとともに、送信信号の通過を阻止するように設定されている。これにより、例えば、サーキュレータ４７を通じて送信信号の成分がローノイズアンプ４９を通過して第３バンドパスフィルタ４３に到達したとしても、第３バンドパスフィルタ４３は、この送信信号の成分の通過を阻止する。
よって、第３バンドパスフィルタ４３は、与えられた受信信号を通過させつつ、必要のない信号の通過を阻止することができる。
【００７０】
第３バンドパスフィルタ４３を通過した受信信号は、当該第３バンドパスフィルタ４３の後段に接続されている分配合成器４０に与えられる。
分配合成器４０には、上述のように、第３バンドパスフィルタ４３の他、信号ケーブル４や、２値化器４１が接続されている。
よって、分配合成器４０に与えられた受信信号は、信号ケーブル４に与えられる。
信号ケーブル４には、変調装置９から出力されたΔΣ変調信号も与えられる。よって、受信信号と、ΔΣ変調信号とは、信号ケーブル４において互いに加算される。信号ケーブル４には、受信信号と、ΔΣ変調信号とが加算された信号が伝送される。
【００７１】
ここで、ΔΣ変調器１１（変調装置９）から出力されたΔΣ変調信号は、図３で示したように、広帯域に亘って量子化雑音を含んでいる。
このため、ΔΣ変調信号が無線装置３へ送信されている間に、信号ケーブル４に与えられた受信信号は、ΔΣ変調信号に含まれる量子化雑音と重畳するおそれがある。
【００７２】
この点、本実施形態では、ΔΣ変調器１１（変調装置９）から出力されたΔΣ変調信号は、受信信号の周波数ｆ２において（制御信号の周波数ｆ２含む帯域Ｂ２の）量子化雑音が抑圧されている（図３参照）。
このため、分配合成器４０及び信号ケーブル４に与えられた受信信号が、ΔΣ変調信号の量子化雑音と重畳するのを抑制することができる。これにより、変調装置９によるΔΣ変調信号を伝送するための信号ケーブル４に、ＲＦ信号である受信信号を伝送させることができる。
【００７３】
本実施形態のΔΣ変調器１１は２つの入力ポートから信号を入力することができるマルチキャリア型のΔΣ変調器であることから、第１信号Ｕ１として送信信号を入力する一方、第２信号Ｕ２として信号を入力しないことで、量子化雑音が抑制されているが出力すべき信号成分が存在しない帯域Ｂ２をΔΣ変調信号に設けることができる。
【００７４】
本実施形態の通信システム１によれば、ΔΣ変調信号の帯域の一部に量子化雑音が抑制されている帯域Ｂ２が設けられており、この帯域Ｂ２を信号ケーブル４における信号の伝送に利用することで、信号ケーブル４による受信信号の送信を可能としている。
この結果、一の伝送線路である信号ケーブル４を用いて、デジタル信号であるΔΣ変調信号と、アナログ信号である受信信号とを双方向に伝送させることができる。
【００７５】
さらに、本実施形態では、図４で示したように、変調装置９が備えているバンドエリミネーションフィルタ１２が、ΔΣ変調器１１が出力するΔΣ変調信号において量子化雑音が抑圧されている帯域である帯域Ｂ２の量子化雑音のレベルをさらに低下させるので、さらに、信号ケーブル４を伝送する周波数ｆ２の受信信号の信号対雑音比等の信号品質をより高めることができる。
【００７６】
信号ケーブル４は、上述したように、信号処理装置２の分配合成器１３に接続されている。また、分配合成器１３には、上述したように、第１バンドパスフィルタ３０が接続されている。
よって、第１バンドパスフィルタ３０には、信号ケーブル４に伝送される信号（ΔΣ変調信号と受信信号とが加算された信号）が与えられる。
【００７７】
第１バンドパスフィルタ３０は、第３バンドパスフィルタ４３と同様、信号通過帯域がＲＦ信号である受信信号の周波数ｆ２を含むとともに、送信信号の通過を阻止するように設定されている。これにより、例えば、分配合成器１３に与えられるΔΣ変調信号が第１バンドパスフィルタ３０に到達したとしても、第１バンドパスフィルタ３０は、ΔΣ変調信号に含まれる送信信号の成分や雑音成分を除去し、受信信号を通過させる。
よって、第１バンドパスフィルタ３０は、信号ケーブル４に伝送される信号が与えられると、受信信号を出力する。
【００７８】
第１バンドパスフィルタ３０が出力する受信信号は、当該第１バンドパスフィルタ３０の後段に接続されているアナログ／デジタルコンバータ３１に与えられる。
アナログ／デジタルコンバータ３１は、アナログ信号である受信信号をデジタル信号に変換する。アナログ／デジタルコンバータ３１は、デジタル信号に変換した受信信号をアナログ／デジタルコンバータ３１の後段に接続されている処理部３２に与える。
処理部３２は、与えられた受信信号について所定の処理を行う。
【００７９】
このように、信号処理装置２は、処理部３２と信号ケーブル４との間に接続され信号通過帯域が受信信号の周波数ｆ２を含む第１バンドパスフィルタ３０を備えているので、簡易な構成で容易に受信信号を取得することができる。
【００８０】
以上のように本実施形態では、ΔΣ変調器１１の量子化雑音阻止帯域の中心周波数が受信信号の周波数ｆ２となるように第２ループフィルタ２０の第２雑音伝達関数ＮＴＦ２（ｚ）を設定することで、ΔΣ変調器１１の量子化雑音阻止帯域が、受信信号の周波数ｆ２を含む周波数帯域である帯域Ｂ２となるように設定したので、受信信号の周波数ｆ２の量子化雑音が抑圧されたΔΣ変調信号を変調装置９に出力させることができる。
【００８１】
なお、本実施形態では、変調装置９は、ΔΣ変調器１１と、ΔΣ変調器１１の出力が与えられるバンドエリミネーションフィルタ１２とを備えており、このバンドエリミネーションフィルタ１２の信号除去帯域が受信信号の周波数ｆ２を含む周波数帯域となるように設定されている。
よって、例えば、バンドエリミネーションフィルタ１２によって、受信信号として必要な信号品質が確保できる程度に量子化雑音を抑制できる場合には、ΔΣ変調器１１が出力するΔΣ変調信号において、受信信号の周波数ｆ２を含む帯域の量子化雑音を抑圧することなく、バンドエリミネーションフィルタ１２のみで、受信信号の周波数ｆ２に存在する量子化雑音を抑圧してもよい。
この場合においても、受信信号の周波数ｆ２に存在する量子化雑音が抑圧されたΔΣ変調信号を変調装置９に出力させることができる。
【００８２】
また、逆に、受信信号の周波数ｆ２を含む帯域の量子化雑音が抑圧されたΔΣ変調信号をΔΣ変調器１１に出力させることにより、受信信号として必要な信号品質が確保できる程度に量子化雑音を抑制できる場合には、バンドエリミネーションフィルタ１２を介さずに、ΔΣ変調器１１の出力を信号ケーブル４に与えてもよい。
【００８３】
但し、本実施形態のように、受信信号の周波数ｆ２に存在する量子化雑音が抑圧されたΔΣ変調信号をΔΣ変調器１１に出力させ、ΔΣ変調信号をバンドエリミネーションフィルタ１２に与える構成とすれば、上述のように、変調装置９の出力における帯域Ｂ２の量子化雑音のレベルをさらに低下させ、信号ケーブル４に伝送される受信信号の信号対雑音比等の信号品質をより高めることができる。
【００８４】
また、ΔΣ変調器１１の出力は、図３に示すように、量子化雑音が抑制されている帯域と、量子化雑音が抑制されていない帯域との境界が急峻に表れる。このため、ΔΣ変調器１１とバンドエリミネーションフィルタ１２とを組み合わせれば、バンドエリミネーションフィルタ１２のフィルタ特性が比較的緩慢であったとしても、量子化雑音が抑制されている帯域と、量子化雑音が抑制されていない帯域との境界の特性が劣化することがなく、バンドエリミネーションフィルタ１２のフィルタ特性の許容範囲を大きく確保することができる。
【００８５】
また、本実施形態では、送信信号と、受信信号とが互いに異なる周波数である。このため、ΔΣ変調器１１の量子化雑音阻止帯域は、送信信号の周波数ｆ１を含む周波数帯域である帯域Ｂ１と、受信信号の周波数ｆ２を含む周波数帯域である帯域Ｂ２の両方に設定されている。これによって、受信信号が量子化雑音に重畳するのを抑制でき、変調装置９の出力を無線装置３に伝送するための信号ケーブル４に、ＲＦ信号である受信信号を伝送させることができる。
【００８６】
なお、本実施形態では、送信信号と受信信号とが異なる周波数であり、無線装置３は、受信信号を周波数変換することなく信号ケーブル４に与える場合を示したが、例えば、ローノイズアンプ４９と第３バンドパスフィルタ４３との間に周波数変換器を設けてもよい。この場合、受信信号の周波数が、送信信号と同じである場合や、ΔΣ変調器１１の量子化雑音阻止帯域及びバンドエリミネーションフィルタ１２の通過阻止帯域に含まれていない場合であっても、前記周波数変換器によって、受信信号の周波数がΔΣ変調器１１の量子化雑音阻止帯域及びバンドエリミネーションフィルタ１２の通過阻止帯域に含まれるように調整することができる。
【００８７】
また、本実施形態では、ΔΣ変調器１１の量子化雑音阻止帯域を、送信信号の周波数ｆ１を含む周波数帯域である帯域Ｂ１と、受信信号の周波数ｆ２を含む周波数帯域である帯域Ｂ２の両方に設定した場合を示したが、例えば、時分割複信によって送受信が行われる場合、ΔΣ変調信号に含まれる送信信号と、ΔΣ変調信号に加算される受信信号とが重複しない。よって、時分割複信によって送受信が行われる場合には、送信信号と受信信号の周波数が同じ又は重複している場合であっても、図５（ａ）に示すように、送信信号の周波数ｆ１を含む周波数帯域である帯域Ｂ１を用いて、受信信号を伝送させることができる。
【００８８】
また、図５（ｂ）に示すように、送信信号に対して影響を与えることなく帯域Ｂ１内で受信信号を送信できる場合も、帯域Ｂ１を用いて、受信信号を伝送させることができる。
【００８９】
このように、ΔΣ変調器１１によって量子化雑音が阻止される帯域を、送信信号の周波数と、受信信号の周波数とを含む周波数帯域に設定することもできる。
この場合も、受信信号が量子化雑音に重畳するのを抑制でき、変調装置９の出力を無線装置３に伝送するための信号ケーブル４に、ＲＦ信号である受信信号を伝送させることができる。
【００９０】
〔第２実施形態について〕
図６は、第２実施形態による通信システムの構成を示すブロック図である。
本実施形態と第１実施形態との主な相違点は、パワーアンプ４６とアンテナ４８との間にカプラ５５が設けられており、無線装置３が、第２バンドパスフィルタ４２から出力される送信信号を帰還信号として信号ケーブル４に与える点である。
つまり、本実施形態の無線装置３は、ＲＦ信号である帰還信号（第２信号）を、信号ケーブル４を介して信号処理装置２へ送信する。
【００９１】
カプラ５５は、ΔΣ変調信号から得られるアナログ信号である送信信号に基づいた帰還信号（周波数ｆ１）を取得し、取得した帰還信号を信号としてローノイズアンプ４９に与える。
本実施形態では、ローノイズアンプ４９と第３バンドパスフィルタ４３との間に周波数変換器５７が設けられている。
【００９２】
周波数変換器５７は、ローノイズアンプ４９により増幅された周波数ｆ１の帰還信号を周波数変換する。周波数変換器５７は、帰還信号の周波数がΔΣ変調器１１の量子化雑音阻止帯域及びバンドエリミネーションフィルタ１２の通過阻止帯域に含まれるように当該帰還信号の周波数を変換する。
【００９３】
より具体的には、ΔΣ変調器１１（変調装置９）の出力に設けられる、量子化雑音が抑制されているが出力すべき信号成分が存在しない帯域Ｂ２（図３、図４）は、量子化雑音阻止帯域の中心周波数が周波数ｆ２となるように設定された第２ループフィルタ２０によって形成される。
よって、周波数変換器５７は、帰還信号の周波数を周波数ｆ２に変換する。これにより、カプラ５５が取得した帰還信号の周波数を、ΔΣ変調器１１の量子化雑音阻止帯域及びバンドエリミネーションフィルタ１２の通過阻止帯域に含めることができる。
【００９４】
無線装置３は、カプラ５５が取得した帰還信号を信号ケーブル４に与える。帰還信号は、信号ケーブル４に与えられているΔΣ変調信号と加算される。信号ケーブル４には、帰還信号と、ΔΣ変調信号とが加算された信号が伝送される。
【００９５】
カプラ５５が取得した帰還信号は、周波数ｆ２に周波数変換されているので、帯域Ｂ２を利用して信号ケーブル４を伝送可能である。
この結果、本実施形態においても、一の伝送線路である信号ケーブル４を用いて、デジタル信号であるΔΣ変調信号と、アナログ信号である帰還信号とを双方向に伝送させることができる。
【００９６】
第１実施形態と同様、本実施形態においても、第１バンドパスフィルタ３０には、信号ケーブル４に伝送される信号（ΔΣ変調信号と帰還信号とが加算された信号）が与えられる。
第１バンドパスフィルタ３０は、信号ケーブル４に伝送される信号が与えられると、帰還信号を出力する。
第１バンドパスフィルタ３０が出力した帰還信号は、アナログ／デジタルコンバータ３１を経て、アナログ／デジタルコンバータ３１の後段に接続されている歪補償部（ＤＰＤ）５６に与えられる。
歪補償部５６は、フィードバック信号として与えられる無線装置３から送信される帰還信号に基づいて、歪補償処理を行う。
【００９７】
〔第３実施形態について〕
図７は、第３実施形態による通信システム１の構成を示す図である。
本実施形態と第１実施形態との主な相違点は、無線装置３を複数（図例では３つ）備えているとともに、各無線装置３に対応して複数の信号処理装置２を備えている点である。
【００９８】
図７に示すように、各無線装置３と、各信号処理装置２とは、信号ケーブル４で接続されている。本実施形態の信号ケーブル４は、当該信号ケーブル４が芯線とされた多芯線５８を構成している。つまり、各無線装置３と、各信号処理装置２とは、多芯線５８によって接続されている。
【００９９】
図８は、無線装置３の構成の一部を示す図である。
本実施形態の通信システム１は、各無線装置３が有する２値化器４１を制御する制御部６０を備えている。
制御部６０は、各無線装置３の２値化器４１が出力するΔΣ変調信号のタイミングを調整する。制御部６０は、各２値化器４１が出力するΔΣ変調信号のタイミングを調整することで、各無線装置３から送信される送信信号の送信タイミングを調整することができる。
【０１００】
例えば、各無線装置３から同一の送信信号を同期させて送信させるために、各信号処理装置２が同時にΔΣ変調信号を出力したとしても、各信号ケーブル４で遅延が生じると、各無線装置３にΔΣ変調信号が到達するタイミングにずれが生じてしまい、各無線装置３から送信信号を同じタイミングで送信させることはできない。
このため、各信号ケーブル４での遅延を抑制するために、信号ケーブル４の物理的な線路長や伝送特性を一致させるといった対策が考えられる。しかし、このような対策は、コスト増や、システムの複雑化、大型化を招く上、十分に遅延を抑制できないおそれもある。
【０１０１】
この点、本実施形態の通信システム１の制御部６０は、各２値化器４１が出力するΔΣ変調信号のタイミングを調整することで、各無線装置３から送信される送信信号の送信タイミングを調整するので、信号ケーブル４の物理的な線路長を厳密に調整したり、信号ケーブル４の伝送特性を厳密に一致させたりせずとも、簡易な構成で、各無線装置３における送信信号の送信タイミングを同期させることができる等、各送信信号の送信タイミングを精度よく調整することができる。
【０１０２】
また、本実施形態の通信システム１では、信号ケーブル４が芯線とされた多芯線５８によって各無線装置３と、各信号処理装置２とを接続したので、各無線装置３と各信号処理装置２との接続が容易となる。また、このような多芯線５８を使用した場合、各信号ケーブル４間で相互干渉が生じ信号タイミングに遅延が生じることが考えられる。
この点、本実施形態の通信システム１では、制御部６０によって送信タイミングを調整することができ、多芯線５８を使用したことによる送信タイミングの遅延を防止することができる。
【０１０３】
つまり、本実施形態の通信システム１は、信号ケーブル４に起因する送信タイミングの遅延を防止できるので、長さが互いに異なる信号ケーブルや、特性が異なる信号ケーブルを用いることもできるし、汎用的に使用されている低コストなケーブルを用いることもできる。
【０１０４】
また、上記実施形態では、制御部６０が２値化器４１を制御することで、無線装置３におけるΔΣ変調信号のタイミングを調整した場合を例示したが、例えば、２値化器４１と、第２バンドパスフィルタ４２との間に、ＦｉＦｏメモリ（Ｆｉｒｓｔ−ｉｎ  Ｆｉｒｓｔ−ｏｕｔ  Ｍｅｍｏｒｙ：先入れ先出しメモリ）を設け、このＦｉＦｏメモリの動作タイミングを制御部６０に制御させ、無線装置３におけるΔΣ変調信号のタイミングを調整するように構成することもできる。
【０１０５】
〔その他〕
なお、今回開示された実施の形態はすべての点で例示であって制限的なものではないと考えられるべきである。
上記各実施形態では、２入力のΔΣ変調器１１を用いた場合を例示したが、３入力、４入力等のより多入力のΔΣ変調器１１を用いてもよい。
例えば、３入力のΔΣ変調器１１を用いれば、ΔΣ変調信号の帯域に量子化雑音が抑制される帯域を３箇所設けることができる。この結果、信号ケーブル４を用いて、ΔΣ変調器１１が出力するΔΣ変調信号以外に、さらに２つのアナログ信号を伝送させることができる。
【０１０６】
本発明の範囲は、上記した意味ではなく、特許請求の範囲によって示され、特許請求の範囲と均等の意味、及び範囲内でのすべての変更が含まれることが意図される。
【符号の説明】
【０１０７】
１  通信システム            ２  信号処理装置      ３  無線装置
４  信号ケーブル            ９  変調装置          １０  直交変調部
１１  ΔΣ変調器            １２  バンドエリミネーションフィルタ
１３  分配合成器            １６  第１入力ポート
１７  第２入力ポート        １８  出力ポート      １９  第１ループフィルタ
１９ａ  第１入力部          １９ｂ  第２入力部    １９ｃ  差分器
１９ｄ  第１経路            １９ｅ  第２経路      １９ｆ  内部フィルタ
１９ｇ  加算器              １９ｈ  フィードフォワード経路
２０  第２ループフィルタ    ２０ａ  第１入力部    ２０ｂ  第２入力部
２０ｃ  差分器              ２０ｄ  第１経路      ２０ｅ  第２経路
２０ｆ  内部フィルタ        ２０ｇ  加算器
２０ｈ  フィードフォワード経路                    ２１  加算器
２２  量子化器              ２３，２４  フィードバック経路
３０  第１バンドパスフィルタ                      ３１  デジタルコンバータ
３２  処理部                ３３  コネクタ        ３４  筐体
４０  分配合成器            ４１  ２値化器        ４２  第２バンドパスフィルタ
４３  第３バンドパスフィルタ                      ４４  コネクタ
４５  筐体                  ４６  パワーアンプ    ４７  サーキュレータ
４８  アンテナ              ４９  ローノイズアンプ
５０  出力端子              ５５  カプラ          ５６  歪補償部
５７  周波数変換器          ５８  多芯線          ６０  制御部
【図１】
2017199960.tif 000005
【図２】
2017199960.tif 000006
【図３】
2017199960.tif 000007
【図４】
2017199960.tif 000008
【図５】
2017199960.tif 000009
【図６】
2017199960.tif 000010
【図７】
2017199960.tif 000011
【図８】
2017199960.tif 000012
【図９】
2017199960.tif 000013